(57)【要約】【課題】できる限り原稿の画像情報を活かしつつ、筋画像を除去又は目立ち難くすることのできる画像読取装置及び画像形成装置を提供する。【解決手段】当該画像読取装置は、スキャナ部によって読み取られた原稿画像において筋画像に対応する領域にある画素の画素値の平均値ＤＡＶを算出する平均値算出部６１２と、前記平均値ＤＡＶが判定基準値ＤＬ，ＤＨの間の値である（ＤＬ＜ＤＡＶ＜ＤＨ）か否かを判断する判断部６１３と、ＤＬ＜ＤＡＶ＜ＤＨでない場合は、筋画像に対応する領域にある各画素の画素値を、周辺画素の画素値に基づいて算出した画素値に置換する置換処理を行い、ＤＬ＜ＤＡＶ＜ＤＨである場合は、筋画像に対応する領域にある各画素について前記置換処理を実施せず、当該各画素の画素値を維持する補正部６１４とを備える。【選択図】図２
2010063091.tif 000002
【特許請求の範囲】
【請求項１】
原稿を搬送する原稿搬送部と、
予め定められた読取位置において主走査方向の読取動作を行い、前記原稿搬送部による搬送で当該読取位置を副走査方向に通過する原稿の画像を読み取り可能な読取部と、
前記読取部による読取動作で得られた画像に基づいて、前記読取位置に付着した異物の存在に起因して生じる筋画像を検出する筋画像検出部と、
前記読取部によって読み取られた前記原稿の画像を構成する画素であって、前記筋画像検出部によって検出された前記筋画像に対応する位置にある画素の画素値の平均値を算出する平均値算出部と、
前記平均値算出部により算出された平均値が、予め定められた範囲内にあるか否かを判断する判断部と、
前記判断部により前記平均値が前記予め定められた範囲外であると判断された場合には、前記読取部による前記原稿の読取画像を構成する画素であって、前記筋画像に対応する位置にある画素の画素値を、当該画素の周辺に位置する画素の画素値から求められる画素値又は予め定められた画素値に置換する第１の補正処理を行い、前記判断部により前記平均値が前記予め定められた範囲内であると判断された場合には、前記読取部による前記原稿の読取画像を構成する画素であって、前記筋画像に対応する位置にある画素の画素値を、当該画素の画素値を用いて補正する第２の補正処理を行う補正部と
を備える画像読取装置。
【請求項２】
前記筋画像検出部は、前記原稿搬送部によって前記読取位置を搬送される原稿間において前記読取部が読み取った画像に基づいて、当該画像中における予め定められた閾値よりも小さい画素値の画素で構成される画像を前記筋画像として検出し、
前記平均値算出部は、前記読取部による前記原稿の画像を構成する画素であって、前記筋画像検出部によって検出された前記筋画像が存在する主走査方向位置にある画素の画素値の平均値を算出する請求項１に記載の画像読取装置。
【請求項３】
前記第２の補正処理は、前記読取部による前記原稿の読取画像を構成する画素であって前記筋画像が存在する主走査方向位置にある画素の画素値を維持する請求項１又は請求項２に記載の画像読取装置。
【請求項４】
前記第２の補正処理は、前記読取部による前記原稿の読取画像を構成する画素であって前記筋画像が存在する主走査方向位置にある画素の画素値から、予め定められた補正式により算出された画素値を用いる請求項１又は請求項２に記載の画像読取装置。
【請求項５】
前記読取部による前記原稿の読取画像のうちハーフトーン画像を構成する画素の画素値を検出する画素値検出部を備え、
前記判断部は、前記画素値検出部により検出された画素値に応じて、前記予め定められた範囲を設定する請求項１に記載の画像読取装置。
【請求項６】
前記読取部による前記原稿の読取画像のうちハーフトーン画像を構成する画素の画素値を検出する画素値検出部を備え、
前記補正部は、前記第１の補正処理として、前記読取部による原稿読取画像を構成する画素であって前記筋画像が存在する主走査方向位置にある画素の画素値が、前記平均値算出部により算出された平均値よりも小さな値を示し、予め定められた周辺画素に、前記画素値検出部によって前記ハーフトーン画像を構成する画素の画素値が検出されている場合には、当該筋画像が存在する主走査方向位置にある画素であって、当該条件を満たす画素の画素値については、前記画素値検出部により検出された画素値を示す画素値に変更する請求項１に記載の画像読取装置。
【請求項７】
請求項１乃至請求項６のいずかに記載の画像読取装置と、
前記画像読取装置から出力される画像を記録媒体に形成する画像形成部と
を備える画像形成装置。
【発明の詳細な説明】
【技術分野】
【０００１】
本発明は、透明板の一方主面上を移動するように読取り対象の原稿を搬送しつつ、透明板の他方主面側から原稿の画像を読み取る、いわゆるシートスルー型の画像読取装置及び該画像読取装置を備えた画像形成装置に関する。
【背景技術】
【０００２】
シートスルー型の画像読取装置を用いて原稿の画像を読み取り、プリンタにより印刷したり、パーソナルコンピュータ等のコンピュータに画像を取り込んでディスプレーに表示したりした場合に、画像の中に、副走査方向に沿った筋状の画像が現れることがある。これは、通常、ゴミ、塵或いは搬送される原稿の用紙の紙粉等の異物が画像読取装置のガラスに付着することや該ガラスにキズがあること等に起因するものである。筋状の画像は、白地部である地肌部に黒筋となって現れたり画像部分に白筋となって現れたりするもので、視覚的に目立つため、原稿に忠実な画像を得ることが望まれる画像読取装置にとっては、このような筋状の画像の除去が要望される。
【０００３】
かかる筋状の画像の発生を抑制することを目的とした技術として、例えば下記特許文献１に示されるように、画素位置がゴミ成分の画素として指定されている場合には、画像補正部１０が、当該画素位置を注目画素ＲＴとする画素マトリクスを適用して、その画素マトリクス内に含まれるゴミ成分の画素として指定されなかった画素（すなわち、正常値の画素）を抽出し、その正常値の画素の平均値を算出し、その算出した平均値を、その注目画素ＲＴの補正後のデジタル画信号ＤＡｃとして出力するものがある。
【先行技術文献】
【特許文献】
【０００４】
【特許文献１】特開平１０−２９４８７０号公報
【発明の概要】
【発明が解決しようとする課題】
【０００５】
しかしながら、筋画像の要因となる異物の大きさによって、発生する筋画像の特性が異なり、筋画像の濃度が非常に濃かったり非常に薄かったりする場合以外は、筋画像の領域に、原稿の画像（画像情報）が多少なりとも現れていることが多く、前記特許文献１のように、一律に、筋画像を周辺画素の画像を用いた画像で置換する方法を採用すると、かえって画像の品質を損ねる場合が生じる。
【０００６】
本発明は、上述した問題点を解決するためになされたものであり、できる限り原稿の画像情報を活かしつつ、筋画像を除去又は目立ち難くすることのできる画像読取装置及び画像形成装置を提供することを目的とする。
【課題を解決するための手段】
【０００７】
本発明の請求項１に記載の発明は、原稿を搬送する原稿搬送部と、
予め定められた読取位置において主走査方向の読取動作を行い、前記原稿搬送部による搬送で当該読取位置を副走査方向に通過する原稿の画像を読み取り可能な読取部と、
前記読取部による読取動作で得られた画像に基づいて、前記読取位置に付着した異物の存在に起因して生じる筋画像を検出する筋画像検出部と、
前記読取部によって読み取られた前記原稿の画像を構成する画素であって、前記筋画像検出部によって検出された前記筋画像に対応する位置にある画素の画素値の平均値を算出する平均値算出部と、
前記平均値算出部により算出された平均値が、予め定められた範囲内にあるか否かを判断する判断部と、
前記判断部により前記平均値が前記予め定められた範囲外であると判断された場合には、前記読取部による前記原稿の読取画像を構成する画素であって、前記筋画像に対応する位置にある画素の画素値を、当該画素の周辺に位置する画素の画素値から求められる画素値又は予め定められた画素値に置換する第１の補正処理を行い、前記判断部により前記平均値が前記予め定められた範囲内であると判断された場合には、前記読取部による前記原稿の読取画像を構成する画素であって、前記筋画像に対応する位置にある画素の画素値を、当該画素の画素値を用いて補正する第２の補正処理を行う補正部と
を備える画像読取装置である。
【０００８】
また、請求項２に記載の発明は、請求項１に記載の画像読取装置であって、前記筋画像検出部は、前記原稿搬送部によって前記読取位置を搬送される原稿間において前記読取部が読み取った画像に基づいて、当該画像中における予め定められた閾値よりも小さい画素値の画素で構成される画像を前記筋画像として検出し、
前記平均値算出部は、前記読取部による前記原稿の画像を構成する画素であって、前記筋画像検出部によって検出された前記筋画像が存在する主走査方向位置にある画素の画素値の平均値を算出するものである。
【０００９】
これらの発明によれば、前記読取部により原稿に対する読取動作が行われると、その読取動作で得られた画像の中に、前記読取位置に付着した異物の存在に起因して生じる筋画像が存在するか否かが前記筋画像検出部により検出される。前記筋画像検出部により前記筋画像が検出されると、平均値算出部により、前記読取部によって読み取られた前記原稿の画像を構成する画素であって、前記筋画像検出部によって検出された前記筋画像に対応する位置にある画素の画素値の平均値が算出され、判断部により、前記平均値が予め定められた範囲内にあるか否かが判断される。
【００１０】
そして、前記判断部により前記平均値が前記予め定められた範囲外であると判断された場合には、読取部による原稿の読取画像を構成する画素であって、筋画像に対応する位置にある画素の画素値を、補正部が、当該画素の周辺に位置する画素の画素値から求められる画素値又は予め定められた画素値に置換する第１の補正処理を行う。その一方、前記判断部により前記平均値が前記予め定められた範囲内であると判断された場合には、補正部が、読取部による原稿の読取画像を構成する画素であって、筋画像に対応する位置にある画素の画素値を、当該画素の画素値を用いて補正する第２の補正処理を行う。
【００１１】
このように、前記平均値が前記予め定められた範囲内であると判断された場合には、原稿画像であって筋画像に対応する位置にある画像には、原稿上に形成されている画像が現れている（原稿上に形成されている画像の情報を反映したものとなっている）可能性が高いとの観点から、読取部による原稿の読取画像を構成する画素であって、筋画像に対応する位置にある画素の画素値を、当該画素の画素値を用いて第２の補正処理を行うようにしたので、原稿読取画像であって筋画像に対応する位置にある領域の画像に、原稿上に形成された画像の情報が現れていることを無視して前記第１の補正処理を行う従来技術のように、かえって画像の品質を損ねることを回避できる。これにより、本発明によれば、できる限り原稿上に形成されている画像の情報を活かしつつ、筋画像を除去又は目立ち難くした読取画像を得ることができる。
【００１２】
すなわち、筋画像の要因となる異物の大きさによって、発生する筋画像の特性が異なり、筋画像の濃度が非常に濃かったり非常に薄かったりする場合以外は、筋画像の領域に、原稿の画像（画像情報）が多少なりとも現れていることが多く、従来技術のように、一律に、筋画像を周辺画素の画像を用いた画像で置換する処理を採用すると、かえって画像の品質を損ねる場合が生じるが、本発明によれば、当該置換処理に基づく画像品質の低下を招くおそれを低減できる。
【００１３】
また、判断部により前記平均値が前記予め定められた範囲外であると判断された場合には、原稿読取画像であって筋画像に対応する位置にある領域の画像に、原稿上に形成された画像の情報が現れている可能性がない又は少ないとの観点に基づき、前記補正部により、前記筋画像を出力する画素の画素値を、当該画素の周辺に位置する画素の画素値から求められる画素値又は予め定められた画素値に置換する第１の補正処理を行うようにしたので、筋画像を除去する又は目立ち難くすることができる。
【００１４】
また、請求項３に記載の発明は、請求項１又は請求項２に記載の画像読取装置であって、前記第２の補正処理は、前記読取部による前記原稿の読取画像を構成する画素であって前記筋画像が存在する主走査方向位置にある画素の画素値を維持するものである。
【００１５】
この発明によれば、前記判断部により前記平均値が前記予め定められた範囲内であると判断された場合は、読取部による原稿の読取画像を構成する画素であって、筋画像に対応する位置にある画素の画素値を維持するので、原稿読取画像であって筋画像に対応する位置にある領域の画像に、原稿上に形成された画像の情報が現れていることを無視して前記第１の補正処理を行う従来技術のように、かえって画像の品質を損ねることを回避できる。
【００１６】
また、請求項４に記載の発明は、請求項１又は請求項２に記載の画像読取装置であって、前記第２の補正処理は、前記読取部による前記原稿の読取画像を構成する画素であって前記筋画像が存在する主走査方向位置にある画素の画素値から、予め定められた補正式により算出された画素値を用いるものである。
【００１７】
この発明によれば、判断部により前記平均値が前記予め定められた範囲内であると判断された場合は、読取部による原稿の読取画像を構成する画素であって、筋画像に対応する位置にある画素の画素値から、予め定められた補正式を用いて補正後の画素値を算出する処理を行うので、原稿読取画像であって筋画像に対応する位置にある領域の画像に、原稿上に形成された画像の情報が現れていることを無視して前記第１の補正処理を行う従来技術のように、かえって画像の品質を損ねることを回避できる。
【００１８】
また、請求項５に記載の発明は、請求項１に記載の画像読取装置であって、前記読取部による前記原稿の読取画像のうちハーフトーン画像を構成する画素の画素値を検出する画素値検出部を備え、
前記判断部は、前記画素値検出部により検出された画素値に応じて、前記予め定められた範囲を設定するものである。
【００１９】
この発明によれば、例えば、前記ハーフトーンの画像の画素値が比較的小さい場合には、前記予め定められた範囲を規定する上限値を相対的に小さい値とし、前記ハーフトーンの画像の画素値が比較的大きい場合には、前記予め定められた範囲を規定する上限値を相対的に大きい値とするというような処理が可能となり、実際に原稿上に形成されている画像の状態に応じて、より適切に、原稿上に形成されている画像の情報を活かしつつ、筋画像を除去又は目立ち難くした読取画像を得ることができる。
る。
【００２０】
また、請求項６に記載の発明は、請求項１に記載の画像読取装置であって、前記読取部による前記原稿の読取画像のうちハーフトーン画像を構成する画素の画素値を検出する画素値検出部を備え、
前記補正部は、前記第１の補正処理として、前記読取部による原稿読取画像を構成する画素であって前記筋画像が存在する主走査方向位置にある画素の画素値が、前記平均値算出部により算出された平均値よりも小さな値を示し、予め定められた周辺画素に、前記画素値検出部によって前記ハーフトーン画像を構成する画素の画素値が検出されている場合には、当該筋画像が存在する主走査方向位置にある画素であって、当該条件を満たす画素の画素値については、前記画素値検出部により検出された画素値を示す画素値に変更するものである。
【００２１】
この発明によれば、より適切に、できる限り原稿上に形成されている画像の情報を活かしつつ、筋画像を除去又は目立ち難くした読取画像を得ることができる。
【００２２】
また、請求項７に記載の発明は、請求項１乃至請求項６のいずかに記載の画像読取装置と、
前記画像読取装置から出力される画像を記録媒体に形成する画像形成部と
を備える画像形成装置である。
【００２３】
この発明によれば、請求項１乃至請求項６のいずかに記載の発明と同様の作用が得られる。
【発明の効果】
【００２４】
本発明によれば、筋画像が発生した場合であっても、画像の品質を向上する又は低下を回避することができる。
【図面の簡単な説明】
【００２５】
【図１】複合機の内部構成を概略的に示す側面図である。
【図２】複合機の電気的な構成を示すブロック図である。
【図３】原稿給送部による読取位置までの原稿搬送路が擬似的に直線であるものとして、原稿給送部によって順番に前記読取位置へ搬送される各原稿の配列状態を示した図である。
【図４】筋画像に対応する領域にある各画素の画素値の平均値の算出方法を説明するための図である。
【図５】制御部による筋画像除去処理を示すフローチャートである。
【図６】（ａ）（ｂ）（ｃ）は、変形形態の説明図である。
【図７】変形形態の説明図である。
【発明を実施するための形態】
【００２６】
以下、本発明に係る画像読取装置及び画像形成装置の実施形態について図面を参照して説明する。尚、以下の実施形態では、本発明に係る画像読取装置及び画像形成装置として、カラーコピー、スキャナ、ファクシミリ、プリンタ等の機能を備えた複合機を例に説明する。図１は、この複合機の内部構成を模式的に示した縦断面図である。
【００２７】
複合機１は、大きく分けて、画像読取部２と装置本体３とからなる。画像読取部２は、原稿給紙部２１と、スキャナ部２２と、ＣＩＳ２３１と、操作部５と、後述する反転機構及び制御部６１（図２参照）を備えてなる。原稿給紙部２１は、ＡＤＦ（Automatic Document Feeder）を備え、原稿トレイ２１１、ピックアップローラ２１２、プラテン２１３、排紙ローラ２１４及び排紙トレイ２１５を有する。原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００２８】
前記プラテン２１３の周面に対向する位置のうち、原稿の搬送方向において後述する読取位置Ｐより手前の予め定められた位置には、用紙を検出する図略のタイミングセンサが設置されており、該タイミングセンサの出力信号に基づき、前記読取位置Ｐへの原稿の搬送タイミングが図られる。前記タイミングセンサは、例えばフォトインタラプタにより構成される。
【００２９】
スキャナ部２２は、原稿の画像を光学的に読み取って画像を生成するものである。スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２は、光源２２２として冷陰極蛍光管等の白色蛍光ランプを用いて構成されていることから、光源として３色ＬＥＤ等が用いられる後述のＣＩＳ２３１よりも色再現性に優れる。
【００３０】
ガラス２２１には、前記原稿給紙部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００３１】
画像読取部２の原稿読取方式としては、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００３２】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００３３】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００３４】
更に、原稿給紙部２１は、切換ガイド２１６、反転ローラ２１７及び反転搬送路２１８を備えた原稿反転機構を有する。この原稿反転機構が、１回目のＡＤＦ読み取りによって表面が読み取られた原稿を表裏反転させて読取窓２３０に再搬送することで、再度ＣＣＤ２２９によって裏面の読み取りが行われる。この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、原稿反転機構を用いて原稿の両面を読み取らせるモードを両面反転読取モードと表記する。
【００３５】
更に、本実施形態の画像読取部２は、ＡＤＦ読取モード時において、前述したように原稿の搬送途中でＣＣＤ２２９（スキャナ部２２）によって原稿の表面の読み取りを行わせると略同時に（略並行して）、ＣＩＳ２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００３６】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。なお、本実施形態における複合機１は、両面同時読取モードに初期設定されており、前記読取モードのモード設定操作が何も行われないまま画像形成指示が入力された場合には、両面同時読取モードで原稿の画像読取動作が行われるようになっている。
【００３７】
複合機１は、装置本体３と、装置本体３の左方に配設されたスタックトレイ６とを有している。装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００３８】
画像形成部４０は、感光体ドラム４３の表面から残留電荷を除電する除電装置４２１と、除電後の感光体ドラム４３の表面を帯電させる帯電装置４２２と、スキャナ部２２で取得された画像に基づいてレーザ光を出力して感光体ドラム４３表面を露光することにより、当該感光体ドラム４３の表面に現像のための静電潜像を形成する露光装置４２３と、前記静電潜像に基づいて感光体ドラム４３上に、シアン（Ｃ）、マゼンタ（Ｍ）、イエロー（Ｙ）及びブラック（Ｂｋ）の各色のトナー像を形成する現像装置４４Ｂｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、図略のトナー供給容器（トナーカートリッジ）から行われる。また、画像形成部４０を通過した記録紙をスタックトレイ６又は排出トレイ４８まで搬送する搬送ローラ４６３，４６４等が設けられている。
【００３９】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００４０】
また、装置本体３の前方には、ユーザが操作画面や各種メッセージ等を視認することができる表示部５１や、種々の操作命令を入力するための操作ボタンを有する操作部５が備えられている。この操作部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部５１は、タッチパネル５２と一体的に形成されている。タッチパネル５２は、ユーザによるタッチ操作がなされたときにそのタッチ位置を検知し、該タッチ位置を示す検知信号を後述する制御部６１へ出力するものである。
【００４１】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４２】
図２は、複合機１の電気的な構成を示すブロック図である。尚、図１に示した各部と同一のものには同一の符号を付し、その説明は省略する。複合機１は、原稿給紙部２１、スキャナ部２２、ＣＩＳ２３１、操作部５、画像形成部４０、通信部６６、記憶部６７及び制御部６１を備えて構成される。
【００４３】
原稿給紙部２１は、前記ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。操作部５は、図１に示す操作部５に相当するものである。スキャナ部２２及びＣＩＳ２３１は、図１に示すスキャナ部２２及びＣＩＳ２３１に相当するものである。
【００４４】
操作部５は、使用者がコピー機能、プリンタ機能、ファクシミリ機能及びスキャナ機能等に関する操作を行うために使用され、使用者による操作命令（コマンド）等を制御部６１に与えるものである。操作部５は、タッチパネル等を有する表示部５１と、使用者によるコピー実行開始指令、あるいはファクシミリ送信開始指令といった種々の指示入力を行うための前記スタートボタン５５や数字キー群５３等とを含む。
【００４５】
画像形成部４０は、スキャナ部２２又はＣＩＳ２３１によって得られた画像や、前記パーソナルコンピュータやファクシミリ装置等から通信部６６を介して転送された画像に基づいた画像を記録紙に形成するものである。通信部６６は、図略のネットワークインターフェースを用い、ネットワークを介して接続されたコンピュータやファクシミリ装置等の外部装置との間で種々のデータの送受信を行うものである。
【００４６】
記憶部６７は、スキャナ部２２及びＣＩＳ２３１の読取動作により得られた画像や、後述する制御部６１により処理された画像等を記憶する記憶部と、ファクシミリ通信を行う時の短縮釦登録の相手先名称やファクシミリ番号、或いは、ネットワークスキャナとして使用される際の送信相手先のＩＰアドレスなどを予め記憶したりする記憶部とを有して構成されているものである。
【００４７】
制御部６１は、複合機１全体の動作制御を司るものであり、ＣＰＵ、ＲＡＭ及びＲＯＭ等によって構成される。前記原稿給紙部２１、スキャナ部２２、ＣＩＳ２３１、操作部５、画像処理部６１５、画像形成部４０及び通信部６６は、制御部６１による制御の下で動作する。制御部６１は、ユーザから操作部５に入力された各種の指示信号等に応じて、図略のＲＯＭ又は前記記憶部６７に記憶されている動作制御プログラムに基づいた処理を実行し、各機能部への指示信号の出力、データ転送等を行って複合機１を統括的に制御する。
【００４８】
ところで、以上のような構成を有する複合機１においては、例えば修正液やインク或いは紙粉等の異物が読取窓２３０に付着することがある。そして、ＡＤＦモードにおいて原稿搬送部５により搬送される原稿に対して画像読取部４により読取動作を行う場合に、読取窓２３０に異物が付着していると、スキャナ部２２から得られる画像のうち、前記或る画素の画素位置に対応する主走査方向の位置に、副走査方向に延びる筋状の画像（図３のラインＬ；以下、筋画像という）が形成されることがある。複合機１は、このような筋画像を画像処理によって除去する機能を搭載している。なお、図３は、原稿給送部５による前記読取位置Ｐまでの原稿搬送路が擬似的に直線であるものとして、原稿給送部５によって順番に前記読取位置Ｐへ搬送される各原稿の配列状態を示した図である。
【００４９】
図２に示すように、制御部６１は、筋画像検出部６１１と、平均値算出部６１２と、判断部６１３と、補正部６１４と、画像処理部６１５とを備える。なお、ここでは、読取窓２３０に付着した異物に起因して発生する筋画像を問題点とし、スキャナ部２２から出力される画像に着目して説明する。
【００５０】
筋画像検出部６１１は、まず、各原稿について、通常の画像読取動作（原稿に対する画像読取動作）の他に、当該原稿とその１枚前（もしくは１枚後ろ）で搬送される原稿との間（間隙）の予め定められた位置が前記読取位置Ｐに到達する前のタイミングで読取動作を画像形成部４０に行わせる。換言すると、図３に示すように、筋画像検出部６１１は、スキャナ部２２に、ｎ枚目（ｎは１以上の整数）の原稿に対して、通常の画像読取動作を実施させる。さらに、筋画像検出部６１１は、（ｎ−１）枚目の原稿の後端縁とｎ枚目の原稿の先端縁との間の予め定められた位置Ｃｎ−１（もしくはｎ枚目の原稿の後端縁と（ｎ＋１）枚目の原稿の先端縁との間の予め定められた位置Ｃｎ。すなわち、原稿間）において、読取動作をスキャナ部２２に実施させる。そして、筋画像検出部６１１は、当該原稿間の読取動作で得られた画像データに、前記異物によって生成される画像（以下、筋画像という）が含まれているか否かを検出する。
【００５１】
前述したように、プラテン２１３の読取窓２３０に対向する表面は白一色とされているため、前記位置Ｃｎ−１（又はＣｎ）が前記読取位置Ｐを通過するときのタイミングで実施される読取動作では、白色とされた前記表面に原稿読取部４の露光ランプ２０で光が照射される。
【００５２】
したがって、前記各位置Ｃｎ−１が前記読取位置Ｐを通過するときのタイミングにおいて、読取窓２３０に異物が存在しない場合には、前記タイミングでスキャナ部２２により得られる主走査方向の１ライン分の画像は、該主走査方向に一様に、白色に対応する比較的大きな画素値を有するものとなる。
【００５３】
一方、前記位置Ｃｎ−１が前記読取位置Ｐを通過するときのタイミングで読取窓２３０に異物が存在する場合、該タイミングでスキャナ部２２により得られる主走査方向の１ライン分の画像は、画素値が比較的大きい画素データの中に、前記異物に起因して画素値が小さくなった画素データが含まれるものとなる。
【００５４】
これに基づき、筋画像検出部６１１は、異物に起因して生じる筋画像を検出する処理を行う。すなわち、本実施形態では、筋画像検出部６１１は、前記位置Ｃｎ−１が前記読取位置Ｐを通過するときのタイミングでの前記原稿間での読取動作によりスキャナ部２２に得られた画像について、画素値が比較的大きい画素データの中に予め定められた閾値より小さい画素データが含まれているか否かを判別し、画素値が比較的大きい画素データの中に前記閾値より小さい画素データが含まれているとき、前記閾値より小さい画素データを前記筋画像として検出する。
【００５５】
平均値算出部６１２は、前記筋画像検出部６１１により筋画像が検出されると、スキャナ部２２によって読み取られた原稿の画像を構成する画素について、前記筋画像に対応する位置（各主走査ラインにおける前記筋画像に対応する主走査方向位置）にある画素の画素値の平均値ＤＡＶを算出する。前記筋画像検出部６１１により検出された筋画像の主走査方向位置が、スキャナ部２２によって読み取られた原稿画像の各主走査ラインの画像について、例えば図４に示すハッチング部分に発生したものとし、この部分の画素の画素値が、主走査ラインの上から順に、Ｄ１，Ｄ２，Ｄ３，・・・Ｄｎー２，Ｄｎ−１，Ｄｎであったものとする。このとき、平均値算出部６１２は、（Ｄ１＋Ｄ２＋Ｄ３＋・・・＋Ｄｎー２＋Ｄｎ−１＋Ｄｎ）／ｎの式に基づいて、筋画像に対応する位置にある画素群の画素値の平均値ＤＡＶとして算出する。
【００５６】
判断部６１３は、前記平均値算出部６１２により算出された平均値ＤＡＶが予め定められた判定基準値ＤＬ，ＤＨ（ＤＬ＜ＤＨ）の間の値である（ＤＬ＜ＤＡＶ＜ＤＨ）か否かを判断する。
【００５７】
前記平均値ＤＡＶがＤＬ＜ＤＡＶ＜ＤＨを満たさない値である場合、すなわち、筋画像領域の画像の画素値が非常に大きい場合若しくは非常に小さい場合は、筋画像に対応する領域に原稿の画像が現れている可能性がない又は少ない。この観点から、補正部６１４は、前記平均値ＤＡＶがＤＬ＜ＤＡＶ＜ＤＨを満たさない値である場合には、周辺画素の画素値を用いた画素値の置換処理を行い、該置換処理後の画像を画像処理部６１５に出力する。前記置換処理としては、筋画像に対応する領域（各走査ラインにおいて筋画像に対応する主走査方向位置）にある画素の周辺（例えば主走査方向において近接する予め定められた左右領域）に位置する画素群の平均値を算出し、当該筋画像に対応する領域にある画素の画素値に代えて、その平均値を当該画素の画素値として採用（置換）する周知の処理が採用可能である。なお、これに限定されず、前記置換処理として、例えば、前記筋画像に対応する領域にある画素の画素値を、予め定められた画素値に置換するようにしてもよい。これらの置換処理は、第１の補正処理の一例である。
【００５８】
一方、前記平均値ＤＡＶがＤＬ＜ＤＡＶ＜ＤＨを満たす値である場合には、筋画像に対応する領域に原稿の画像が現れている可能性が高い。この観点から、補正部６１４は、前記平均値ＤＡＶがＤＬ＜ＤＡＶ＜ＤＨを満たす値である場合には、前記置換処理を実施せずに、筋画像に対応する領域にある各画素の画素値を維持し、その画像を画像処理部６１５に出力する。この置換処理は、第２の補正処理の一例である。
【００５９】
画像処理部６１５は、画像に関する各種画像処理を行うものである。例えば、画像処理部６１５は、補正部６１４から出力された画像や、ネットワーク接続されたパーソナルコンピュータ、公衆回線で接続されたファクシミリ装置等から通信部６６を介して転送されてくる画像に対して、シェーディング補正、レベル補正、ガンマ補正、色収差補正、ＭＴＦ（Modulation Transfer Function）補正及びスキャナ色補正等の補正処理、画像の圧縮又は伸長処理、拡大又は縮小処理などの画像加工処理を行う。
【００６０】
図５は、制御部６１による筋画像除去処理を示すフローチャートである。
【００６１】
図５に示すように、画像形成動作を実施する指示が行われると（ステップ♯１でＹＥＳ）、制御部６１は、スキャナ部２２に、上述した原稿間での画像と、原稿の画像の両者について読取動作を実施させる（ステップ♯２）。筋画像検出部６１１は、当該原稿間での画像読取動作で得られた画像の中に筋画像を検出する処理を実施する（ステップ♯３）。
【００６２】
その結果、筋画像検出部６１１により前記筋画像が検出されなかった場合には（ステップ♯４でＮＯ）、スキャナ部２２によって読み取られた原稿の画像に対し、補正部６１４による上述したいずれの置換処理も実施せず、画像処理部６１４による上述した画像加工処理のみを行う（ステップ♯８）。画像形成部４０は、前記画像処理部６１４による画像処理後の画像に基づき、記録紙への画像形成動作を行う（ステップ♯９）。
【００６３】
一方、前記筋画像検出部６１１により前記筋画像が検出された場合には（ステップ♯４でＹＥＳ）、平均値算出部６１２は、スキャナ部２２によって読み取られた原稿の画像であって、上記筋画像に対応する領域にある各画素について、上述した画素値の平均値ＤＡＶを算出する（ステップ♯５）。
【００６４】
判断部６１３は、前記平均値算出部６１２により算出された平均値ＤＡＶが予め定められた判定基準値ＤＬ，ＤＨ（ＤＬ＜ＤＨ）の間の値である（ＤＬ＜ＤＡＶ＜ＤＨ）か否かを判断する（ステップ♯６）。
【００６５】
そして、前記平均値ＤＡＶがＤＬ＜ＤＡＶ＜ＤＨを満たさない値であると判断部６１３によって判断された場合（ステップ♯６でＮＯ）、補正部６１４は、スキャナ部２２によって読み取られた原稿の画像であって、筋画像に対応する領域にある画像の画素について、上述した周辺画素の画素値を用いた画素値の置換処理（第１の補正処理）を行って、該置換処理後の画像を画像処理部６１５に出力する（ステップ♯７）。
【００６６】
一方、前記平均値ＤＡＶがＤＬ＜ＤＡＶ＜ＤＨを満たす値である場合には（ステップ♯６でＹＥＳ）、前記補正部６１４は、筋画像に対応する領域にある画像の各画素の画素値を維持し（ステップ♯１０）、その画像を画像処理部６１５に出力する。すなわち、前記補正部６１４は、前記平均値ＤＡＶがＤＬ＜ＤＡＶ＜ＤＨを満たす値である場合には、第２の補正処理を行う。
【００６７】
ステップ♯７の処理後、画像処理部６１５は、補正部６１４から出力される画像に対する前記画像加工処理を行い（ステップ♯８）、画像形成部４０は、前記画像処理部６１５による画像処理後の画像に基づき、記録紙への画像形成動作を行う（ステップ♯９）。
【００６８】
以上のように、本実施形態では、読み取った画像の中に筋画像を検出した場合に、原稿画像において筋画像に対応する領域にある画像を構成する各画素の画素値の平均値が一定範囲内にある場合には、当該筋画像に対応する領域にある画像に、読取対象とされた原稿上に形成されている画像が現れている（筋画像に対応する領域にある画像の画素が、原稿上に形成されている画像の情報を反映したものとなっている）可能性が高いとの観点に基づき、原稿画像において筋画像に対応する領域にある画像を構成する各画素に対しては、周辺画素の画素値を用いた置換処理を行わずに当該各画素の画素値を維持する。これにより、原稿画像において筋画像に対応する領域に、原稿上に形成されている画像が現れていることを無視して前記置換処理を行うことに因りかえって画像の品質を損ねることとなるのを回避することができる。
【００６９】
本件は、前記実施形態に代えて、或いは前記実施形態に加えて次のような変形形態も採用可能である。
【００７０】
［１］前記実施形態では、筋画像を構成する画素群の画素値の平均値ＤＡＶがＤＬ＜ＤＡＶ＜ＤＨを満たす値である場合に、前記第２の補正処理の一例として、前記置換処理を実施せずに、各画素の画素値を維持し、その画像を画像処理部６１５に出力する方法を採用したが、この形態に代えて、筋画像に対応する領域にある各画素の画素値に所定値を加算したり、筋画像に対応する領域ある各画素の画素値に所定の係数を乗算する等、筋画像に対応する領域にある各画素の画素値に対して予め定められた補正式を用いて行う補正処理等を採用してもよい。
【００７１】
［２］また、前記第１の補正処理の変型例として、次の補正処理も可能である。例えば図６（ａ）に示すように、スキャナ部２２の読取動作で得られた原稿の画像に筋画像Ｌが含まれているものとする。図６（ｂ）は、図６（ａ）の矢印Ｘで示す部分の拡大図である。
【００７２】
上記ステップ♯６でＮＯの場合であって、例えば図６（ｂ）に示すように、スキャナ部２２の読取動作で得られた原稿の画像において、ハーフトーンの画像上に筋画像が重畳したとき、その重畳部分の画像の画素値Ｗが、ハーフトーンの画像の画素値Ｙに筋画像の画素値Ｚが加算されたものとなる場合には、補正部６１４が、図６（ｃ）に示すように筋画像を除去するべく、筋画像に対応する領域にある画像の画素の画素値Ｚを白色に対応する画素値にするために画素値Ｚに加算される加算値を補正値として算出し、この補正値を、上記重畳部分の画素の画素値Ｗに加算する補正処理を採用してもよい。
【００７３】
この場合、図７に示すように、制御部６１が画素値検出部６１６を更に備える。画素値検出部６１６は、スキャナ部２２による原稿読取画像から、ハーフトーン画像をなす領域を検出し、当該ハーフトーン画像を構成する各画素の画素値を検出する。
【００７４】
補正部６１４は、上述した第１の補正処理として、スキャナ部２２による原稿読取画像を構成する画素であって、筋画像に対応する領域にある画素の画素値が、平均値算出部６１２により算出された平均値よりも小さな値を示すか否か、当該筋画像に対応する領域にある画素に対する予め定められた周辺画素（例えば主走査方向において近接する画素）がハーフトーン画像を構成する画素であるかを判断する。
【００７５】
補正部６１４は、スキャナ部２２による原稿読取画像を構成する画素であって、筋画像に対応する領域にある画素の画素値が、平均値算出部６１２により算出された平均値よりも小さな値を示すと判断し、かつ、当該筋画像に対応する領域にある画素に対する上記予め定められた周辺画素に、ハーフトーン画像を構成する画素の画素値が画素値検出部６１６によって検出されている場合には、当該筋画像に対応する領域にある画素であって、当該２つの条件を満たす画素の画素値については、(1)画素値検出部６１６により検出された画素値に変更する、又は(2) スキャナ部２２による原稿読取画像を構成する画素であって、筋画像に対応する領域にあり、かつ上記周辺画素がハーフトーン画像を構成していない画素（例えば図６（ｂ）の画素Ｚ）の画素値を白色に対応する画素値にするための上記補正値を加算する、のいずれかを行う。
【００７６】
なお、この場合、補正部６１４は、スキャナ部２２による原稿読取画像を構成する画素であって、筋画像に対応する領域にあり、かつ周辺画素がハーフトーン画像を構成していない画素については、上述した周辺画素の画素値を用いた画素値の置換処理等の予め定められた画素値への置換処理（ステップ♯７）を行う。
【００７７】
［３］また、前記実施形態では、判定基準値ＤＬ，ＤＨを固定値としたが、判断部６１３が、判定基準値ＤＬ，ＤＨを、画素値検出部６１６で得られたハーフトーンの画像を構成する各画素の画素値の平均値に応じて変更してもよい。
【００７８】
例えば、判断部６１３は、前記ハーフトーンの画像の画素値が或る値より小さい場合には、判定基準値ＤＬや判定基準値ＤＨを相対的に小さい値とする一方、前記ハーフトーンの画像の画素値が比較的大きい場合には、判定基準値ＤＬや判定基準値ＤＨを相対的に大きい値とするとよい。
【００７９】
これにより、判断部６１３は、判定基準値ＤＬ，ＤＨを固定値とする場合に比して、筋画像に対応する領域にある画像の画素に、原稿上に形成された画像の情報が現れているかの判断を適切に行うことが可能となり、その結果、適切な補正処理で、前筋画像に対応する領域にある画像の画素の画素値を補正することが可能となる。
【００８０】
また、判断部６１３が、このような前記ハーフトーンの画像をなす各画素の画素値に応じて自動的に判定基準値ＤＬ，ＤＨ（ＤＬ＜ＤＨ）を変更する形態の他、ユーザによる操作部５の操作等で入力された判定基準値ＤＬ，ＤＨ（ＤＬ＜ＤＨ）に基づいて、判定基準値ＤＬ，ＤＨ（ＤＬ＜ＤＨ）を変更するようにしてもよい。
【００８１】
［４］前記実施形態では、読取窓２３０に付着する異物に起因して生じる筋画像に着目し、スキャナ部２２の読取動作で得られた画像について前記置換処理の要否を判断する構成を示したが、ＣＩＳ２３１の読取動作で得られた画像についても、筋画像（白色の筋画像）が発生する場合があることから、ＣＩＳ２３１の読取動作で得られた画像についても前記実施形態と同様の処理を行うとよい。
【符号の説明】
【００８２】
１      複合機
２      画像読取部
６１    制御部
６１１  筋画像検出部
６１２  平均値算出部
６１３  判断部
６１４  補正部
６１５  画像処理部
６１６  濃度検出部
【図１】
2010063091.tif 000003
【図２】
2010063091.tif 000004
【図３】
2010063091.tif 000005
【図４】
2010063091.tif 000006
【図５】
2010063091.tif 000007
【図６】
2010063091.tif 000008
【図７】
2010063091.tif 000009